(57)【特許請求の範囲】
【請求項１】
両主面に電極が形成された圧電性樹脂からなる圧電フィルムと、
少なくとも一方の主面に前記圧電フィルムが装着された平板状のエキサイタフィルムと、
前記エキサイタフィルムの主面に対して直交する方向に所定間隔をおいて配置された平板状の振動板と、
前記エキサイタフィルムおよび前記振動板の主面よりも小面積に形成され、前記エキサイタフィルムと前記振動板との間に配置されたフレームと、
前記エキサイタフィルムの端部、前記フレームの端部、および前記振動板の端部を連結し、前記フレームの端部を支点として前記エキサイタフィルムの伸縮を前記振動板に伝搬する連結部と、を備えた、
平面型スピーカ。
【請求項２】
前記連結部は、
前記エキサイタフィルムの端部と前記フレームの端部とを接続する第１継手部と、
前記フレームの端部と前記振動板の端部とを接続する第２継手部と、を備え、
前記第１継手部と前記第２継手部とは、略直角に接続されている、
請求項１に記載の平面型スピーカ。
【請求項３】
前記第１継手部による前記エキサイタフィルムの端部と前記フレームの端部とを接続する長さは、
前記第２継手部による前記振動板の端部と前記フレームの端部とを接続する長さよりも短い、請求項２に記載の平面型スピーカ。
【請求項４】
前記圧電フィルムは有機圧電材料からなる、請求項１乃至請求項３のいずれかに記載の平面型スピーカ。
【請求項５】
前記振動板の少なくとも一部は伸縮性フィルムからなる、請求項１乃至請求項４のいずれかに記載の平面型スピーカ。
【請求項６】
前記振動板は透光性を有する材料からなる、請求項１乃至請求項５のいずれかに記載の平面型スピーカ。
【請求項７】
請求項６に記載の平面型スピーカを備え、
前記フレームは、前記振動板側を表示面とする薄型表示ユニットからなる、ＡＶ機器。
【発明の詳細な説明】
【技術分野】
【０００１】
本発明は、振動面の大きさに対して厚みが薄い平面型スピーカに関する。
【背景技術】
【０００２】
近年、薄型ディスプレイに搭載する等の理由により、薄型のスピーカの需要が高まっている。このため、各種の平面型スピーカ（薄型スピーカ）が考案されている。【０００３】
特許文献１に記載のスピーカは、平板状のポリフッ化ビニリデン（ＰＶＤＦ）の両主面に電極を形成した構造からなる。【０００４】
しかしながら、このような従来の平面型スピーカは、ダイナミックスピーカのような奥行きが取れないため、一般的に音質特性が劣るという弱点を有する。【０００５】
この弱点を改善するため、例えば、特許文献２のスピーカでは、樹脂等からなる平板状のメンブレンを、電磁方式のエキサイタ（アクチュエータ）で振動させている。特許文献２のスピーカでは、メンブレンの側面に電磁方式のエキサイタを取り付けている。【０００６】
また、特許文献３のスピーカでは、二枚の平板を所定間隔で配置し、当該平板間の中空領域に電磁方式のエキサイタ（アクチュエータ）を配置しており、当該エキサイタにより平板を振動させている。
【先行技術文献】
【特許文献】
【０００７】
【特許文献１】特開２００９−２７２９７８号公報
【特許文献２】特開昭６２−７３８９８号公報
【特許文献３】特開２００５−１１７２１７号公報
【発明の概要】
【発明が解決しようとする課題】
【０００８】
上述の特許文献２に示すスピーカでは、電磁方式のエキサイタがメンブレンの横に備えられているため、当該エキサイタを配置する分だけ形状が大きくなってしまう。【０００９】
また、特許文献３に示すスピーカでは、平板間にエキサイタを配置するため、少なくともエキサイタ分の厚みを必要とする。さらに、平板の対向する両端にエキサイタを配置するため、少なくとも二個のエキサイタ分だけ平板面の面積が大きくなってしまう。【００１０】
したがって、本発明の目的は、薄型でありながら音質特性に優れ、且つ略振動面の面積が大きく、当該面積に対して厚みが大幅に薄い平面型スピーカを提供することにある。
【課題を解決するための手段】
【００１１】
この発明の平面型スピーカは、圧電フィルム、エキサイタフィルム、振動板、フレーム、および連結部を備える。圧電フィルムは、両主面に電極が形成された圧電性樹脂からなる。エキサイタフィルムは、少なくとも一方の主面に圧電フィルムが装着された平板からなる。振動板は、エキサイタフィルムの主面に対して直交する方向に所定間隔をおいて配置された平板からなる。フレームは、エキサイタフィルムおよび振動板の主面よりも小面積に形成され、エキサイタフィルムと振動板との間に配置されている。連結部は、エキサイタフィルムの端部、フレームの端部、および振動板の端部を連結し、フレームの端部を支点としてエキサイタフィルムの伸縮を振動板に伝搬する。【００１２】
この構成では、圧電フィルムに音信号を印加すると、当該音信号に応じてエキサイタフィルムが伸縮する。連結部は、フィルムの端部を支点として、エキサイタフィルムの伸縮を、振動板に伝搬する。したがって、振動板は、音信号に応じて振動し、外部へ放音する。この際、圧電フィルム、エキサイタフィルム、振動板、フレームは、全て主面面積と比較して厚みが大幅に薄いので、平面型スピーカとして薄型に形成することができる。また、圧電フィルムの振動がエキサイタフィルムで増幅されて振動板に伝搬されるので、音質特性を向上させることができる。【００１３】
また、この発明の平面型スピーカの連結部は、次の構成からなる第１継手部と第２継手部とを備えることが好ましい。第１継手部は、エキサイタフィルムの端部とフレームの端部とを接続する。第２継手部は、フレームの端部と振動板の端部とを接続する。第１継手部と第２継手部とは、略直角に接続されている。
【００１４】
この構成では、エキサイタフィルム、振動板、フレームの主面に平行な方向に見て、第１継手部と第２継手部とが略Ｌ字状で接続される。これにより、連結部は、第１継手部と第２継手部とがフレームに接続する接続点が支点となり、第１継手部がエキサイタフィルムに接続する点が力点となり、第２継手部が振動板に接続する点が作用点となるテコとして機能する。これにより、エキサイタフィルムの伸縮を、振動板に効果的に伝搬することができる。【００１５】
また、この発明の平面型スピーカは、次の構成であることが好ましい。第１継手部によるエキサイタフィルムの端部とフレームの端部とを接続する長さは、第２継手部による振動板の端部とフレームの端部とを接続する長さよりも短い。【００１６】
この構成では、テコの原理から、エキサイタフィルムの伸縮よりも振動板の伸縮の方が大きくなる。これにより、エキサイタフィルムの伸縮を、振動板に、より効果的に伝搬することができる。【００１７】
また、この発明の平面型スピーカの圧電フィルムは有機圧電材料であってもよい。【００１８】
この構成では、圧電フィルムが、ポリフッ化ビニリデン（ＰＶＤＦ）や、ポリ乳酸（ＰＬＬＡ）等によって形成される。【００１９】
また、この発明の平面型スピーカは、振動板の少なくとも一部が伸縮性フィルムからなっていてもよい。【００２０】
この構成では、振動板が連結部を介してエキサイタフィルムに固定されている時に生じる応力が緩和され、振動板の主面を湾曲させることなく、より平坦にすることができる。【００２１】
また、この発明の平面型スピーカの振動板は透光性を有する材料からなることが好ましい。【００２２】
この構成では、振動板が透光性を有するので、振動板の裏側（エキサイタフィルム側）に配置したものを振動板の正面側から視認することができる。【００２３】
また、この発明は、ＡＶ機器に関するものであり、上述の透光性を有する振動板を有する平面型スピーカを備え、フレームが、振動板側を表示面とする薄型表示ユニットからなる。【００２４】
この構成では、平面型スピーカ内に薄型表示ユニットが配置されるので、薄型のＡＶ機器を実現することができる。
【発明の効果】
【００２５】
この発明によれば、優れた音質特性を有し、略振動面の面積だけの大きさからなる薄型の平面型スピーカを実現できる。
【図面の簡単な説明】
【００２６】
【図１】本発明の第１の実施形態に係る平面型スピーカの正面図および側面図である。
【図２】本発明の第１の実施形態に係る平面型スピーカの部分拡大側面図である。
【図３】本発明の第１の実施形態に係る平面型スピーカの動作説明図である。
【図４】本発明の第２の実施形態に係る平面型スピーカの動作説明図である。
【図５】本発明の第３の実施形態に係る平面型スピーカの正面図および側面図である。
【図６】本発明の第４の実施形態に係る平面型スピーカの正面図および側面図である。
【図７】本発明の第５の実施形態に係る平面型スピーカの部分拡大側面図である。
【図８】本発明の第６の実施形態に係る平面型スピーカの部分拡大側面図である。
【発明を実施するための形態】
【００２７】
本発明の第１の実施形態に係る平面型スピーカについて、図を参照して説明する。図１（Ａ）は本発明の第１の実施形態に係る平面型スピーカの正面図であり、図１（Ｂ）は平面型スピーカの側面図である。図２は本発明の第１の実施形態に係る平面型スピーカの部分拡大図である。
【００２８】
平面型スピーカ１０は、圧電フィルム２０、エキサイタフィルム３０、振動板４０、連結部材５０を備える。
【００２９】
圧電フィルム２０は、平面視して矩形状のベースフィルム２００を備える。該ベースフィルム２００の対向する両主面には、電極２０１が形成されている。ベースフィルム２００は、圧電性を有するフィルムであり、好ましくはポリ乳酸（以下、ＰＬＡと称する。）もしくはポリフッ化ビニリデン（以下、ＰＶＤＦと称する。）で構成されている。さらに好ましくは、ＰＬＡで構成されている。ＰＬＡで構成することにより、ベースフィルム２００の透光性を非常に高くすることができる。透光性が低くても問題がないような使用態様であれば、厚みをさらに薄くしたＰＶＤＦフィルムを積層した積層体、あるいは厚みをさらに薄くしたＰＬＡフィルムを積層した積層体を用いることもできる。これにより、圧電フィルムの見かけ上の圧電定数を向上し、圧電フィルムの駆動電圧を低くすることができる。ベースフィルム２００にＰＬＡを用いる場合、ベースフィルム２００は、延伸方向に対して各外周辺が略４５°になるように裁断することで、矩形状に形成するとよい。
【００３０】
電極２０１は、ベースフィルム２００の両主面の略全面に形成されている。電極２０１は、酸化インジウムスズＩＴＯ、酸化亜鉛ＺｎＯ、ポリチオフェンを主成分とすることが好ましい。これらの材料を用いれば透光性が高いため、ＰＬＡで構成されたベースフィルム２００と組み合わせることで、略透明（可視光の透光率が約９５％）以上からなる圧電フィルム２０Ｌを実現することができる。なお、電極２０１には、銀ナノワイヤ電極を用いることができ、さらに、透光性が低くても問題ないような使用態様であれば、アルミ蒸着電極を用いることが好ましい。電極２０１には、図示しない引き出し用の配線導体が接続されており、外部からの放音用駆動信号は当該配線導体を介して各電極２０１へ印加される。
【００３１】
エキサイタフィルム３０は、平面視して矩形状からなり、圧電フィルム２０を配置可能な大きさで形成されている。エキサイタフィルム３０は、ポリエチレンテレフタレート（ＰＥＴ）で構成されている。なお、エキサイタフィルム３０は、ポリエチレンナノフタレート（ＰＥＮ）、ポリエチレン（ＰＥ）、ポリプロピレン（ＰＰ）、ポリ塩化ビニル（ＰＶＣ）等の他の材料を用いてもよく、機能的には振動板４０の形状を十分に維持できる強度を有するものであればよい。さらに、エキサイタフィルム３０は、高い透光性を有する絶縁性材料であるとよりよい。
【００３２】
例えば、圧電フィルム２０のベースフィルム２００にＰＬＡを用いて、エキサイタフィルム３０にＰＥＴを用いる場合、当該エキサイタフィルム３０の厚みを０．０５ｍｍ〜０．２ｍｍ程度にすることが好ましい。
【００３３】
エキサイタフィルム３０の一方主面には、圧電フィルム２０が配置されている。圧電フィルム２０は、接着層２３を用いてエキサイタフィルム３０に固定されている。この際、圧電フィルム２０は、延伸方向がエキサイタフィルム３０の各外周辺に対して略４５°の角度をなすように固定されている。
【００３４】
振動板４０は、平面視して矩形状からなる。振動板４０は、所定の剛性を有する材料からなり、アクリル樹脂（ＰＭＭＡ）で構成されている。振動板４０は、ＰＥＴ、ポリカーボネイト（ＰＣ）、ＰＬＡ等の他の材料を用いてもよく、機能的には高い透光性を有する絶縁性材料であればよい。
【００３５】
振動板４０は、エキサイタフィルム３０の一方主面側（圧電フィルム２０側）に、所定間隔を空けて配置されている。この際、振動板４０の主面とエキサイタフィルム３０の主面とは略平行になっている。
【００３６】
振動板４０の主面を構成する第１方向の長さ（図１における横方向の長さ）は、エキサイタフィルム３０と略同じである。第１方向に直交する振動板４０の主面を構成する第２方向の長さ（図１における縦方向の長さ）は、エキサイタフィルム３０よりも長い。
【００３７】
フレーム３００は、平面視して矩形状からなる。フレーム３００は、振動板４０よりも剛性の高い材料からなる。フレーム３００は、高い透光性を有する絶縁性材料であってもよい。また、フレーム３００は、主面の中央が開口する形状、すなわち外周部に所定幅だけ肉部を有する形状であってもよい。
【００３８】
フレーム３００は、エキサイタフィルム３０と振動板４との間に、それぞれに対して間隔を空けて配置されている。この際、フレーム３００の主面とエキサイタフィルム３０の主面とは平行になっている。
【００３９】
フレーム３００の主面を構成する第１方向の長さ（図１における横方向の長さ）は、エキサイタフィルム３０および振動板４０と略同じである。第１方向に直交するフレーム３００の主面を構成する第２方向の長さ（図１における縦方向の長さ）は、エキサイタフィルム３０よりも短い。
【００４０】
エキサイタフィルム３０、フレーム３００、振動板４０は、連結部材５０によって接続されている。連結部材５０は、エキサイタフィルム３０、フレーム３００、振動板４０の第２方向の端部を形成する辺（第２方向端辺）に配置されている。連結部材５０も剛性の高い材料からなる。
【００４１】
連結部材５０は、第１継手部５０１と第２継手部５０２とが一体形成されてなる。第１継手部５０１と第２継手部５０２は、長尺状の板からなる。第１継手部５０１と第２継手部５０２とは、長尺方向に沿った辺が全辺に亘って接続されている。この際、第１継手部５０１と第２継手部５０２は、平板における長尺方向に直交する短尺方向が略直交する形状で接続されている。これにより、連結部材５０は、第１継手部５０１および第２継手部５０２の長尺方向に平行な方向から見てＬ型となっている。
【００４２】
連結部材５０の第１継手部５０１と第２継手部５０２とが接続する角辺は、フレーム３００の第２方向端辺に接続されている。この際、連結部材５０は、上記長尺方向に平行な方向から見て、フレーム３００に対して、第１継手部５０１および第２継手部５０２が回動可能に接続されている。
【００４３】
連結部材５０の第１継手部５０１の前記角辺と反対側の端辺は、エキサイタフィルム３０の第２方向端辺に接続されている。この際、第１継手部５０１は、上記長尺方向に平行な方向から見て、エキサイタフィルム３０に対して回動可能に接続されている。
【００４４】
連結部材５０の第２継手部５０２の前記角辺と反対側の端辺は、振動板４０の第２方向端辺に接続されている。この際、第２継手部５０２は、上記長尺方向に平行な方向から見て、振動板４０に対して回動可能に接続されている。
【００４５】
なお、連結部材５０に対するエキサイタフィルム３０、振動板４０、フレーム３００の取付構造は、上述のように、エキサイタフィルム３０、振動板４０、フレーム３００のそれぞれが連結部材５０に対して回動可能に固定されれば、その具体的な構造はどのような構造であってもよい。
【００４６】
このような構成とすることで、連結部材５０とフレーム３００との接続部が、エキサイタフィルム３０の伸縮を振動板４０に伝搬するための支点５１１となる。第１継手部５０１とエキサイタフィルム３０との接続部が、エキサイタフィルム３０の伸縮を振動板４０に伝搬するための力点５１２となる。第２継手部５０２と振動板４０との接続部が、エキサイタフィルム３０の伸縮を振動板に伝搬するための作用点５１３となる。
【００４７】
図３は本発明の第１の実施形態に係る平面型スピーカの動作説明図である。図３では、圧電フィルム２０の定常状態、圧電フィルム２０の伸長状態、圧電フィルム２０の収縮状態での側面図を示している。
【００４８】
まず、定常状態では、振動板４０は、フレーム３００および連結部材５０によって、エキサイタフィルム３０に固定されている。この際、エキサイタフィルム３０と振動板４０は、湾曲応力が加わるように固定されている。逆言えば、エキサイタフィルム３０には第２方向に沿った引っ張り応力が加わるように、エキサイタフィルム３０と振動板４０は固定されている。より具体的には、振動板４０は、エキサイタフィルム３０の存在する側と反対の側（振動板４０の正面前面側）に湾曲して突出する形状となるように固定されている。なお、図１、図３では、振動板４０の湾曲状態を誇張して記載しており、実際には、図２に示すように、振動板４０の主面とエキサイタフィルム３０の主面は、より平行に近い関係となる。
【００４９】
このような状態において、放音用駆動信号が圧電フィルム２０に印加され、圧電フィルム２０が第２方向に沿って伸長すると、図３の伸長状態に示すように、エキサイタフィルム３０は、Ｓ９０１に示すように伸長する。エキサイタフィルム３０がＳ９０１に示すように伸長すると、連結部材５０とフレーム３００との接続部を支点として、連結部材５０の第１継手部５０１は、振動板４０側に向かって回動する。この第１継手部５０１の回動により、第１継手部５０１に接続する第２継手部５０２も、連結部材５０とフレーム３００との接続部を支点として振動板４０側に向かって回動する。
【００５０】
連結部材５０は、第２方向の両端に配置されており、それぞれの第２継手部５０２が振動板４０側に向かって回動することで、振動板４０の第２方向の両端辺間の距離が短くなる。これにより、振動板４０は、正面前面側に対する突出量が増加する。
【００５１】
また、放音用駆動信号が圧電フィルム２０に印加され、圧電フィルム２０が第２方向に沿って収縮すると、図３の収縮状態に示すように、エキサイタフィルム３０は、Ｓ９０２に示すように収縮する。エキサイタフィルム３０がＳ９０２に示すように収縮すると、連結部材５０とフレーム３００との接続部を支点として、連結部材５０の第１継手部５０１は、エキサイタフィルム３０側に向かって回動する。この第１継手部５０１の回動により、第１継手部５０１に接続する第２継手部５０２も、連結部材５０とフレーム３００との接続部を支点として振動板４０側に向かって回動する。
【００５２】
連結部材５０は、第２方向の両端に配置されており、それぞれの第２継手部５０２がエキサイタフィルム３０側に向かって回動することで、振動板４０の第２方向の両端辺間の距離が長くなる。これにより、振動板４０は、正面前面側に対する突出量が減少する。
【００５３】
以上のように、本実施形態の構成を用いることで、圧電フィルム２０に放音用駆動信号を印加すれば、当該放音用駆動信号に応じて振動板４０を振動させ、正面に放音することができる。
【００５４】
そして、上述のように、振動板４０に定常的な湾曲応力を与えておき、当該湾曲応力と同じ方向へのエキサイタフィルム４０の伸縮（圧電フィルム２０の伸縮を伝搬した伸縮）による応力を加えることで、振動板４０を効果的に振動させることができる。さらに、平面型スピーカ１０を平面視した略全面に圧電フィルム２０を配設できるので、低音出力特性が改善し、且つ、決定された面積において最も効率良く振動板４０を振動させることができる。また、従来の特許文献２に示したような電磁方式のエキサイタを必要としないので、平面型スピーカ１０を小型（正面視して小面積）に形成することができる。また、側面視して、圧電フィルム２０を貼り付けたエキサイタフィルム３０と振動板４０とを、振動板４０の振動ストロークとフレーム３００の移動量に応じた距離に対して若干のマージンを有する程度に離間して配置すればよいので、従来の特許文献３に示したような奥行き方向の長さを殆ど必要とせず、平面型スピーカ１０を薄く形成することができる。
【００５５】
なお、振動板４０のエキサイタフィルム３０側にも音が放音されるが、上述の構造により、振動板４０のエキサイタフィルム３０側は半閉空間のエンクロージャとして機能する。これにより、エキサイタフィルム３０側に発した音が正面側に漏洩することを抑制でき、音質特性を向上させることができる。
【００５６】
なお、上述の説明では、第１継手部５０１の長さ（第１継手部５０１のフレーム３００への接続位置と、第１継手部５０１のエキサイタフィルム３０への接続位置との距離）と、第２継手部５０２の長さ（第２継手部５０２のフレーム３００への接続位置と、第２継手部５０２の振動板４０への接続位置との距離）との関係を特に示さなかったが、第２継手部５０２を、第１継手部５０１の長さよりも長くするとよい。これにより、テコの原理から、エキサイタフィルム３０の伸縮量よりも、振動板４０の第２方向端辺間の変化量の方が大きくなる。したがって、エキサイタフィルム３０の伸縮を増幅して、振動板４０を振動させることができる。これにより、さらに効果的に放音することができる。
【００５７】
次に、本発明の第２の実施形態に係る平面型スピーカについて、図を参照して説明する。図４は本発明の第２の実施形態に係る平面型スピーカの動作説明図である。図４では、圧電フィルム２０Ａの定常状態、圧電フィルム２０Ａの伸長状態、圧電フィルム２０Ａの収縮状態での側面図を示している。
【００５８】
本実施形態に係る平面型スピーカ１０Ａは、振動板４０Ａの材料が第１の実施形態の振動板４０と異なるものであり、他の構成は、第１の実施形態に係る平面型スピーカ１０と同じである。
【００５９】
振動板４０Ａは、第１の実施形態に示した振動板４０と同じ形状からなり、材料が異なる。振動板４０Ａの材料は、ポリウレタン等の伸縮性を有するものである。このような構造とすることで、図４に示すように、振動板４０が定常状態で湾曲することを抑制できる。また、図４に示すように、エキサイタフィルム３０が伸縮しても、振動板４０が湾曲しない。
【００６０】
これにより、振動板４０Ａの主面を平坦にすることができ、平面型スピーカ１０Ａの正面を平坦にすることができる。
【００６１】
次に、本発明の第３の実施形態に係る平面型スピーカについて、図を参照して説明する。図５（Ａ）は本発明の第３の実施形態に係る平面型スピーカの正面図であり、図５（Ｂ）は平面型スピーカの側面図である。
【００６２】
本実施形態に係る平面型スピーカ１０Ｂは、振動板４０Ｂの構造が第１の実施形態の振動板４０と異なるものであり、他の構成は、第１の実施形態に係る平面型スピーカ１０と同じである。
【００６３】
振動板４０Ｂは、主板４０１と枠板４０２とを備える。主板４０１は、第１の実施形態に示した振動板４０と同様に、所定の剛性を有する材料からなる。主板４０１の第１方向の長さは、エキサイタフィルム３０と同じである。主板４０２の第２方向の長さは、エキサイタフィルム３０よりも短い。枠板４０２は、第２の実施形態に示した振動板４０Ａと同様に、伸縮性を有する材料からなる。枠板４０２の第１方向の長さは、エキサイタフィルム３０を同じである。枠板４０２の第２方向の長さは、エキサイタフィルム３０よりも短い。
【００６４】
枠板４０２は、主板４０１の第２方向の両端部にそれぞれ配置されている。枠板４０２は、主板４０１に対して接着剤等によって接着されるとともに、連結部材５０の第２継手部５０２に接続されている。
【００６５】
このような構造であっても、第２の実施形態と同様に、振動板４０Ｂの主面を平坦にすることができ、平面型スピーカ１０Ｂの正面を平坦にすることができる。
【００６６】
次に、本発明の第４の実施形態に係る平面型スピーカについて、図を参照して説明する。図６（Ａ）は本発明の第４の実施形態に係る平面型スピーカの正面図であり、図６（Ｂ）は平面型スピーカの側面図である。
【００６７】
本実施形態の平面型スピーカ１０Ｃは、圧電フィルム２０Ｃの形状が第１の実施形態の平面型スピーカ１０と異なるものであり、他の構成は第１の実施形態の平面型スピーカ１０と同じである。
【００６８】
圧電フィルム２０Ｃは、正面視した面積が、エキサイタフィルム３０よりも小さい。圧電フィルム２０Ｃは、正面視してエキサイタフィルム３０の略中央に配置されている。
【００６９】
平面型スピーカ１０Ｃが必要とする音質特性が得られれば、圧電フィルム２０Ｃを小さくすることもできる。これにより、必要とする音質特性を得ながら、平面型スピーカを、より安価に構成することができる。
【００７０】
次に、本発明の第５の実施形態に係る平面型スピーカについて、図を参照して説明する。図７は、本発明の第５の実施形態に係る平面型スピーカの部分拡大側面図である。
【００７１】
本実施形態の平面型スピーカ１０Ｄは、連結部材５００Ｄの形状、連結部材５００Ｄに対するエキサイタフィルム３０Ｄ、振動板４０Ｄ、フレーム３００の取付構造が第１の実施形態の平面型スピーカと異なるものであり、他の構成は同じである。
【００７２】
連結部材５００Ｄは、基本的な構造としては、第１の実施形態に示した連結部材５０と同じであり、第１継手部５０１Ｄと第２継手部５０２Ｄとを備える。第１継手部５０１Ｄと第２継手部５０２Ｄは、エキサイタフィルム３０Ｄ、振動板４０Ｄ、フレーム３００の主面に平行な方向に見て、Ｌ字状になるように接続されている。
【００７３】
連結部材５００Ｄにおける第１継手部５０１Ｄと第２継手部５０２Ｄとが接続する角辺は、フレーム３００の第２方向端面の振動板４０Ｄ側の辺に当接している。この状態で、連結部材５００Ｄとフレーム３００とは、可撓性樹脂フィルム５２０Ｄによって固定されている。この際、可撓性樹脂フィルム５２０Ｄは、フレーム３００の振動板４０Ｄ側の面と連結部材５００Ｄの第２継手部５０２Ｄの振動板４０Ｄ側の面とに装着されている。このような構造とすることで、連結部材５００Ｄの角辺とフレーム３００の第２方向端面の振動板４０Ｄ側の辺との当接位置が支点５１１Ｄとなり、可撓性樹脂フィルム５２０Ｄはヒンジとして機能する。
【００７４】
エキサイタフィルム３０Ｄの第２方向端部には、フレーム３００側に折れ曲がる折曲部３１Ｄが形成されている。折曲部３１Ｄは、第１継手部５０１Ｄの第２継手部５０２Ｄ側の面に接着されている。このエキサイタフィルム３０Ｄと第１継手部５０１Ｄとの接着位置が力点５１２Ｄとなる。
【００７５】
振動板４０Ｄの第２方向端部には、フレーム３００側に折れ曲がる折曲部４１Ｄが形成されている。折曲部４１Ｄは、第２継手部５０２Ｄの第１継手部５０１Ｄ側の面に接着されている。この振動板４０Ｄと第２継手部５０１Ｄとの接着位置が力点５１３Ｄとなる。
【００７６】
このような構造としても、上述の各実施形態と同様に、薄型で音質特性に優れる平面型スピーカを実現することができる。さらに、本実施形態の構成を用いることで、エキサイタフィルム３０Ｄの伸縮を振動板４０Ｄに伝搬する機構を、比較的簡単な構造で実現することができ、平面型スピーカを容易に製造することができる。
【００７７】
次に、本発明の第６の実施形態に係る平面型スピーカについて、図を参照して説明する。図８は、本発明の第６の実施形態に係る平面型スピーカの部分拡大側面図である。
【００７８】
本実施形態の平面型スピーカ１０Ｅは、連結部材５００Ｅの形状、連結部材５００Ｅに対するエキサイタフィルム３０Ｅ、振動板４０Ｅ、フレーム３００の取付構造が第１の実施形態の平面型スピーカと異なるものであり、他の構成は同じである。
【００７９】
連結部材５００Ｅは長尺状の角柱からなる。連結部材５００Ｅにおける第１の角辺は、フレーム３００の第２方向端面の振動板４０Ｅ側の辺に当接している。この状態で、連結部材５００Ｅとフレーム３００とは、可撓性樹脂フィルム５２０Ｅによって固定されている。この際、可撓性樹脂フィルム５２０Ｅは、フレーム３００の振動板４０Ｅ側の面と連結部材５００Ｅの振動板４０Ｅ側の面とに装着されている。このような構造とすることで、連結部材５００Ｅの第１の角辺とフレーム３００の第２方向端面の振動板４０Ｅ側の辺との当接位置が支点５１１Ｅとなり、可撓性樹脂フィルム５２０Ｅはヒンジとして機能する。
【００８０】
エキサイタフィルム３０Ｅの第２方向端部には、フレーム３００側に折れ曲がる折曲部３１Ｅが形成されている。折曲部３１Ｅは、連結部材５００Ｅの可撓性樹脂フィルム５１１Ｅが装着された面と反対側の面に接着されている。このエキサイタフィルム３０Ｅと連結部材５００Ｅとの接着位置が力点５１２Ｅとなる。
【００８１】
振動板４０Ｅの第２方向端部には、フレーム３００側に折れ曲がる折曲部４１Ｅが形成されている。折曲部４１Ｅは、連結部材５００Ｅの可撓性樹脂フィルム５１１Ｅが装着された面に直交してフレーム３００と反対側の面に接着されている。この振動板４０Ｅと連結部材５００Ｅとの接着位置が作用点５１２Ｅとなる。
【００８２】
このような構造としても、上述の各実施形態と同様に、薄型で音質特性に優れる平面型スピーカを実現することができる。さらに、本実施形態の構成を用いることで、エキサイタフィルム３０Ｄの伸縮を振動板４０Ｄに伝搬する機構を、さらに簡単な構造で実現することができ、平面型スピーカをさらに容易に製造することができる。
【００８３】
なお、上述の各実施形態では、フレーム３００を用いる例を示したが、当該フレーム３００を、正面視した形状が矩形状の薄型表示ユニットに置き換えることもできる。薄型表示ユニットとしては、例えば液晶ディスプレイ装置等を用いればよい。薄型表示ユニットは、表示面が振動板側になるように配置されている。そして、振動板は透光性を有する物とする。
【００８４】
このような構成とすることで、平面型スピーカとしての外形のままで、音声のみでなく映像や画像を表示するＡＶ機器を実現することができる。すなわち、薄型のＡＶ機器を実現することができる。
【符号の説明】
【００８５】
１０，１０Ａ，１０Ｂ，１０Ｃ，１０Ｄ，１０Ｅ：平面型スピーカ、
２０：圧電フィルム、
２３：接着層、
３０，３０Ｄ，３０Ｅ：エキサイタフィルム、
３１Ｄ，３１Ｅ：折曲部、
４０，４０Ａ，４０Ｂ，４０Ｄ，４０Ｅ：振動板、
４１Ｄ，４１Ｅ：折曲部、
５０，５００Ｄ，５００Ｅ：連結部材、
２００：ベースフィルム、
２０１：電極、
３００：フレーム、
４０１：主板、
４０２：枠板、
５０１，５０１Ｄ：第１継手部、
５０２，５０２Ｄ：第２継手部、
５１１，５１１Ｄ：支点、
５１２，５１２Ｄ：力点、
５１３，５１３Ｄ：作用点、
５２０Ｄ，５２０Ｅ：可撓性樹脂フィルム、
【図１】
0005907285.tif 000002
【図２】
0005907285.tif 000003
【図３】
0005907285.tif 000004
【図４】
0005907285.tif 000005
【図５】
0005907285.tif 000006
【図６】
0005907285.tif 000007
【図７】
0005907285.tif 000008
【図８】
0005907285.tif 000009